(57)【特許請求の範囲】
【請求項１】
クランプ式のセンサ部が配設された第１本体部と、画面を表示する表示部が配設されてヒンジ部を介して前記第１本体部に回動可能に連結された第２本体部と、前記画面を回転させる画面回転指示信号を出力する回転操作スイッチを有する操作部と、前記第１本体部に対する前記第２本体部の回動を検出して前記画面回転指示信号を出力する回動検出部と、前記表示部に前記画面を表示させる表示制御部とを備え、
前記操作部は、前記表示部と並んで前記第２本体部の筐体の一面に配設され、
前記回動検出部は、前記ヒンジ部を中心として前記第１本体部に対して前記第２本体部を回動させることで当該第１本体部と当該第２本体部とを重ねるようにして折り畳んだ折り畳み状態、および当該第１本体部に対して当該第２本体部を回動させることで当該第１本体部に対して当該第２本体部を開いた展開状態のいずれの状態になっているかを検出して前記画面回転指示信号を出力し、
前記表示制御部は、前記折り畳み状態から前記展開状態への移行、および当該展開状態から当該折り畳み状態への移行に伴って前記回動検出部から出力される前記画面回転指示信号に従い、予め規定された第１の角度だけ前記画面を回転させて前記表示部に表示させると共に、前記操作部から前記画面回転指示信号が出力されたときに、前記第１の角度とは相違する予め規定された第２の角度だけ前記画面を回転させて前記表示部に表示させる測定装置。
【発明の詳細な説明】
【技術分野】
【０００１】
本発明は、表示制御部の制御に従って測定画面等を表示する表示部を備えた測定装置に関するものである。
【背景技術】
【０００２】
この種の測定装置として、出願人は、測定画面等を表示する表示部を備えたクランプ式電流計（以下、「電流計」ともいう）を特開２００３−３０２４２３号公報に開示している。この電流計は、操作ダイアルや表示部等が配設された計器本体部の一端側に導体導入部（クランプ式のセンサ部）が配設されて構成されている。この電流計を用いて、測定対象体を導通する電流の電流値を測定する際には、操作ダイアルを所望の測定レンジに切替え操作すると共に、導体導入部によって測定対象体をクランプする。この際には、導体導入部における電流検出用のコイル部に誘起される電圧に基づき、計器本体部に配設された制御部が電流値を演算して、その演算結果を例えば数値化して表示する測定画面を表示部に表示させる。これにより、測定処理が完了する。
【特許文献１】特開２００３−３０２４２３号公報（第３−５頁、第１図）
【発明の開示】
【発明が解決しようとする課題】
【０００３】
ところが、出願人が開示している電流計には、以下の改善すべき課題がある。すなわち、出願人が開示している電流計では、表示部を配設した計器本体部の一端側に導体導入部（センサ部）を配設した構成が採用されている。この場合、電流値等を測定する測定対象体の設置位置や設置姿勢によっては、その測定対象体を導体導入部によってクランプした状態において、電流計が横向きとなったり上下逆さまの状態となることがある。このような状態においては、表示部に表示される表示画面が電流計と共に横向きとなったり上下逆さまの状態となる。このため、出願人が開示している電流計には、表示部に表示されている表示画面の視認が困難となることがあるという課題が存在する。
【０００４】
本発明は、かかる改善すべき課題に鑑みてなされたものであり、画面を容易に視認し得る測定装置を提供することを主目的とする。
【課題を解決するための手段】
【０００５】
上記目的を達成すべく請求項１記載の測定装置は、クランプ式のセンサ部が配設された第１本体部と、画面を表示する表示部が配設されてヒンジ部を介して前記第１本体部に回動可能に連結された第２本体部と、前記画面を回転させる画面回転指示信号を出力する回転操作スイッチを有する操作部と、前記第１本体部に対する前記第２本体部の回動を検出して前記画面回転指示信号を出力する回動検出部と、前記表示部に前記画面を表示させる表示制御部とを備え、前記操作部は、前記表示部と並んで前記第２本体部の筐体の一面に配設され、前記回動検出部は、前記ヒンジ部を中心として前記第１本体部に対して前記第２本体部を回動させることで当該第１本体部と当該第２本体部とを重ねるようにして折り畳んだ折り畳み状態、および当該第１本体部に対して当該第２本体部を回動させることで当該第１本体部に対して当該第２本体部を開いた展開状態のいずれの状態になっているかを検出して前記画面回転指示信号を出力し、前記表示制御部は、前記折り畳み状態から前記展開状態への移行、および当該展開状態から当該折り畳み状態への移行に伴って前記回動検出部から出力される前記画面回転指示信号に従い、予め規定された第１の角度だけ前記画面を回転させて前記表示部に表示させると共に、前記操作部から前記画面回転指示信号が出力されたときに、前記第１の角度とは相違する予め規定された第２の角度だけ前記画面を回転させて前記表示部に表示させる。なお、本発明における「画面」には、測定処理の実行中に表示される「測定処理画面」や測定結果を表示する「測定結果表示画面」などの「測定画面」の他に、測定装置の動作条件を設定する「動作条件設定画面」や測定装置の使用方法を表示する「ヘルプ画面」などの各種の表示画面がこれに含まれる。
【発明の効果】
【０００８】
請求項１記載の測定装置によれば、画面回転指示信号が出力されたときに、表示制御部が予め規定された角度だけ画面を回転させて表示部に表示させることにより、導体導入部（センサ部）を表示部の上方に位置させるように測定対象体をクランプした状態における視認が容易となるように測定画面を固定的に表示させる構成の従来の電流計とは異なり、測定装置を横向きにしたり上下逆さまにしたりした状態においても画面を容易に視認させることができる。
【０００９】
また、第１本体部に対する第２本体部の回動に伴って回動検出部から画面回転指示信号が出力されたときに、表示制御部が予め規定された第１の角度だけ画面を回転させて表示部に表示させることにより、画面を回転させるためのスイッチ操作等を行うことなく、第１本体部に対して第２本体部を回動させるだけで折り畳み状態において視認が容易な画面、および展開状態において視認が容易な画面を表示部に対して容易に表示させることができる。
【００１０】
また、回転操作スイッチの操作に伴って操作部から画面回転指示信号が出力されたときに、表示制御部が予め規定された第２の角度だけ画面を回転させて表示部に表示させることにより、測定装置の姿勢に応じて回転スイッチを操作することで、視認が容易となるように画面を任意に回転させて表示部に表示させることができる。
【発明を実施するための最良の形態】
【００１１】
以下、本発明に係る測定装置の最良の形態について、添付図面を参照して説明する。
【００１２】
図１，２に示すクランプ式電流計（以下、「電流計」ともいう）１は、本発明における測定装置の一例であって、第１本体部２、第２本体部３およびヒンジ部４を備えて、測定対象体９を導通する電流の電流値等を測定可能に構成されている。第１本体部２は、図１に示すように、例えば絶縁性樹脂材料で形成された筐体２ａの一端側に測定用のセンサ部１１と一対の開閉レバー１２とが配設されると共に、筐体２ａの他端側にヒンジ部４を介して第２本体部３が回動可能に連結されている。また、筐体２ａ内には、開閉レバー１２の操作に連動してセンサ部１１を開閉させる開閉機構（図示せず）が収容されている。
【００１３】
センサ部１１は、弧状の外形を有して基端部が筐体２ａの一側面に回動自在に取り付けられた第１カバー部１１ａと、弧状の外形を有して基端部が筐体２ａの一側面（第１カバー部１１ａが取り付けられた側面と同じ面）に回動自在に取り付けられた第２カバー部１１ｂと、両カバー部１１ａ，１１ｂ内に配設された電流検出用の一対のコイル部１３と、測定対象体９を導通する電流によってコイル部１３に誘起される電圧Ｖを増幅して検出信号Ｓ１（図２参照）として出力する信号増幅部１４とを備えて構成されている。これにより、センサ部１１は、測定対象体９をクランプした状態において、測定対象体９を導通する電流の値に応じた電圧値の検出信号Ｓ１を出力する。
【００１４】
この場合、両カバー部１１ａ，１１ｂは、開閉レバー１２の操作に連動して開閉機構によって各々の基端部が駆動されることにより、基端部を中心として同一平面内で筐体２ａに対して回動させられて、それぞれの自由端側が接合した状態（センサ部１１が閉じた状態）と、それぞれの自由端側が離間した状態（センサ部１１が開いた状態）との間で互いに移行可能に構成されている。また、両カバー部１１ａ，１１ｂは、それぞれの自由端側が接合した状態において、図１，８に示すように、ほぼ円環状の形状となる。これにより、センサ部１１は、測定対象体（例えば電流線路）９を取り巻くようにしてクランプすることが可能となっている。
【００１５】
第２本体部３は、例えば絶縁性樹脂材料で形成された筐体３ａの一面に表示部２１および操作部２２が配設されると共に、図２に示すように、Ａ／Ｄ変換部２３、制御部２４および図示しない電源部（一例として、一次電池）が筐体３ａ内に収容されて構成されている。表示部２１は、一例としてＬＣＤ（Ｌｉｑｕｉｄ  Ｃｒｙｓｔａｌ  Ｄｉｓｐｌａｙ）パネルおよびバックライトを備えて構成されている。また、表示部２１は、制御部２４の制御に従い、図３〜６に示すように、測定された電流の電流値や、所定時間内に測定された電流値のうちの最大値などを表す測定画面Ｐ（本発明における画面の一例）を表示する。
【００１６】
操作部２２は、図１に示すように、ＨＯＬＤスイッチ２２ａ、ＭＡＸスイッチ２２ｂ、バックライトＯＮ／ＯＦＦスイッチ２２ｃおよび表示画面回転スイッチ（本発明における「回転操作スイッチ」の一例：以下、「回転スイッチ」ともいう）２２ｄを備え、操作されたスイッチに対応する操作信号Ｓ２（図２参照）を制御部２４に出力する。この場合、この電流計１では、回転スイッチ２２ｄの操作時に操作部２２から出力される操作信号Ｓ２が本発明における画面回転指示信号に相当する。
【００１７】
Ａ／Ｄ変換部２３は、図２に示すように、センサ部１１の信号増幅部１４から出力された検出信号Ｓ１をＡ／Ｄ変換処理することにより、測定対象体９を導通する電流の値に応じた電流データＤ２を生成して制御部２４に出力する。制御部２４は、演算部（ＣＰＵ）と、演算部用の動作プログラムを記憶するＲＯＭと、ワーキングメモリ等に使用されるＲＡＭとを備えて構成されている。この制御部２４は、測定対象体９を導通する電流の電流値やその最大値などをＡ／Ｄ変換部２３から出力される電流データＤ２に基づいて演算する演算処理を実行する。また、制御部２４は、本発明における表示制御部に相当し、演算処理の処理結果に基づいて測定画面Ｐを表示するための表示用データＤ１を生成して表示部２１に出力する。
【００１８】
さらに、制御部２４は、後述するようにして第１本体部２に対して第２本体部３が回動させられたとき（後述する回動検出スイッチ３１から検出信号Ｓ３が出力されたとき）や、回転スイッチ２２ｄが操作されたとき（回転操作を指示する操作信号Ｓ２が操作部２２から出力されたとき）に、予め規定された角度だけ測定画面Ｐを回転させて表示部２１に表示させる。具体的には、制御部２４は、図３に示すように、表示部２１の上方に操作部２２を位置させた状態において表示部２１と正対したとき、または、矢印Ｂ１の向きで表示部２１を覗き込んだときに測定画面Ｐを容易に視認することができる第１の表示態様（この態様を常態ともいう）を初期設定状態における表示態様として表示用データＤ１を生成する。
【００１９】
また、制御部２４は、この表示態様の他に、図４に示すように、表示部２１の右側に操作部２２を位置させた状態（つまり表示部２１を常態から右回り（時計回り）に９０°回転させた状態）において表示部２１と正対したとき、または、矢印Ｂ２の向きで表示部２１を覗き込んだときに測定画面Ｐを容易に視認することができる第２の表示態様と、図５に示すように、表示部２１の下方に操作部２２を位置させた状態（つまり表示部２１を常態から右回りまたは左回りに１８０°回転させた状態）において表示部２１と正対したとき、または、矢印Ｂ３の向きで表示部２１を覗き込んだときに測定画面Ｐを容易に視認することができる第３の表示態様と、図６に示すように、表示部２１の左側に操作部２２を位置させた状態（つまり表示部２１を常態から左回りに９０°または右回りに２７０°回転させた状態）において表示部２１と正対したとき、または、矢印Ｂ４の向きで表示部２１を覗き込んだときに測定画面Ｐを容易に視認することができる第４の表示態様との４つの表示態様のうちのいずれかで測定画面Ｐを表示させるようにして表示用データＤ１を生成する。
【００２０】
ヒンジ部４は、図１に示すように、第１本体部２の筐体２ａにおけるセンサ部１１の取り付け部位とは反対側の部位と、第２本体部３における筐体３ａの一端部とを連結して、第１本体部２に対する第２本体部３の回動を許容する。これにより、この電流計１では、図１に示すように、第１本体部２の上に第２本体部３を重ねるようにして折り畳んだ状態（以下、「折り畳み状態」ともいう）と、図８に示すように、ヒンジ部４を中心として第１本体部２に対して第２本体部３を回動させて開いた状態（以下、「展開状態」ともいう）との両状態において電流値等の測定を実行可能に構成されている。
【００２１】
また、ヒンジ部４には、第１本体部２におけるセンサ部１１と第２本体部３におけるＡ／Ｄ変換部２３とを接続する信号ケーブル（一例として、平ケーブル）、および第１本体部２に対する第２本体部３の回動を検出して検出信号Ｓ３（本発明における「画面回転指示信号」の他の一例：図２参照）を出力する回動検出スイッチ３１（本発明における回動検出部：図２，７参照）が配設されている。この場合、この電流計１では、一例として、回動検出スイッチ３１として機械式スイッチが採用されて、回動検出スイッチ３１の本体部分（図７において破線で示す部位）が第１本体部２における筐体２ａ内に配設されると共に、回動検出スイッチ３１における接点（図示せず）がヒンジ部４内に配設されて、第１本体部２に対する第２本体部３の回動を検出可能に構成されている。
【００２２】
具体的には、この電流計１では、図７に一点鎖線で示すように電流計１が折り畳まれた状態からヒンジ部４を中心として第２本体部３を矢印Ａ１の向きで第１本体部２に対して回動させることで、例えば第１本体部２と第２本体部３とのなす角度θが９０度を超えたときに、回動検出スイッチ３１が検出信号Ｓ３を制御部２４に出力する。この場合、この電流計１では、上記の角度θが９０度を超えている状態において、回動検出スイッチ３１からの検出信号Ｓ３の出力が維持される構成が採用されている。
【００２３】
また、図７に実線で示すように電流計１が展開された状態からヒンジ部４を中心として第２本体部３を矢印Ａ２の向きで第１本体部２に対して回動させることで、例えば第１本体部２と第２本体部３とのなす角度θが９０度以下となったときに、回動検出スイッチ３１が検出信号Ｓ３の出力を停止する。したがって、制御部２４は、回動検出スイッチ３１からの検出信号Ｓ３の出力の有無に基づき、電流計１が折り畳み状態および展開状態のいずれの状態であるかを判別することが可能となっている。なお、検出信号Ｓ３が出力されるか否かの基準となる上記の角度θについては、９０度に限定されるものではなく、任意に規定することができる。
【００２４】
この電流計１では、折り畳み状態とすることによってコンパクト化を図り、その携帯性を向上させることが可能となっている。また、測定対象体９を導通する電流の電流値を測定する際には、測定対象体９の設置位置や周囲の障害物の有無等の測定環境に応じて、折り畳み状態と展開状態とのいずれかにおいて測定処理を実行することができる。具体的には、例えば、測定対象体９の周囲に十分な作業スペースが存在しないときには、電流計１を折り畳み状態で使用する。この際には、まず、開閉レバー１２を操作することにより、両カバー部１１ａ，１１ｂの自由端側を離反させてセンサ部１１を開き、両カバー部１１ａ，１１ｂの間に測定対象体９を挟み込むようにして収容した後に、開閉レバー１２から手を離して各カバー部１１ａ，１１ｂの自由端側を接合させる。これにより、図１に示すように、センサ部１１による測定対象体９のクランプが完了する。
【００２５】
次いで、操作部２２の各操作スイッチのうちのいずれかを操作することにより、電流計１を起動させる。この際には、測定対象体９を導通する電流の値に応じた電圧値の検出信号Ｓ１がセンサ部１１から出力され、これに応じて、Ａ／Ｄ変換部２３が検出信号Ｓ１をＡ／Ｄ変換して電流データＤ２を生成して制御部２４に出力する。次いで、制御部２４が電流データＤ２に基づいて電流値算出処理を実行して測定対象体９の電流値を算出して内部メモリに順次記憶すると共に、測定した電流値を表示するための表示用データＤ１を生成して表示部２１に出力する。これにより、図３に示すように、例えば「１０ｍＡ」との測定結果が表示された測定画面Ｐが第１の表示態様で表示部２１に表示される。
【００２６】
この際に、折り畳み状態の電流計１における表示部２１の右側にセンサ部１１が位置するような状態で測定対象体９をクランプしているとき（例えば測定者から見て電流計１を右回りに９０°回転させて横向き状態にして測定対象体９をクランプしているとき）には、操作部２２における回転スイッチ２２ｄを１回だけ操作する。この際には、操作部２２から出力された操作信号Ｓ２に応じて、制御部２４が、第１の表示態様で表示されている測定画面Ｐ（図３参照）を例えば右回りに９０度（本発明における「予め規定された第２の角度」の一例）だけ回転させて表示させるように新たな表示用データＤ１を生成して表示部２１に出力する。これにより、図４に示すように、「１０ｍＡ」との測定結果が表示された測定画面Ｐが第２の表示態様で表示部２１に表示される。
【００２７】
また、折り畳み状態の電流計１における表示部２１の下方にセンサ部１１が位置するような状態で測定対象体９をクランプしているとき（例えば電流計１を逆さまにして測定対象体９をクランプしているとき）には、操作部２２における回転スイッチ２２ｄを２回操作する。この際には、操作部２２から出力された操作信号Ｓ２に応じて、制御部２４が、第１の表示態様で表示されている測定画面Ｐ（図３参照）を例えば右回りに１８０度（本発明における「予め規定された第２の角度」の２回の操作分の一例）だけ回転させて表示させるように新たな表示用データＤ１を生成して表示部２１に出力する。これにより、図５に示すように、「１０ｍＡ」との測定結果が表示された測定画面Ｐが第３の表示態様で表示部２１に表示される。
【００２８】
さらに、折り畳み状態の電流計１における表示部２１の左側にセンサ部１１が位置するような状態で測定対象体９をクランプしているとき（例えば電流計１を図１に示す向きとは反対側の向きでかつ横向きにして測定対象体９をクランプしているとき）には、操作部２２における回転スイッチ２２ｄを３回操作する。この際には、操作部２２から出力された操作信号Ｓ２に応じて、制御部２４が、第１の表示態様で表示されている測定画面Ｐ（図３参照）を例えば右回りに２７０度（本発明における「予め規定された第２の角度」の３回の操作分の一例）たけ回転させて表示させるように新たな表示用データＤ１を生成して表示部２１に出力する。これにより、図６に示すように、「１０ｍＡ」との測定結果が表示された測定画面Ｐが第４の表示態様で表示部２１に表示される。
【００２９】
一方、測定対象体９の周囲に十分な作業スペースが存在するときには、電流計１を展開状態にして使用する。具体的には、図７に実線で示すように、ヒンジ部４を中心として第１本体部２に対して矢印Ａ１の向きで第２本体部３を回動させることにより、電流計１を展開状態にする。この際に、第１本体部２と第２本体部３とのなす角度θが９０度を超えたときには、回動検出スイッチ３１から検出信号Ｓ３が出力される。なお、電流計１が停止状態となっているときには、第１本体部２に対して第２本体部３が回動させられた時点において回動検出スイッチ３１から検出信号Ｓ３が出力されるのではなく、その後に操作部２２の各操作スイッチのうちのいずれかが操作されて電流計１が起動した際に、回動検出スイッチ３１からの検出信号Ｓ３の出力が開始される。
【００３０】
次いで、開閉レバー１２を操作してセンサ部１１を開き、両カバー部１１ａ，１１ｂの間に測定対象体９を挟み込むようにして収容した後に、開閉レバー１２から手を離して各カバー部１１ａ，１１ｂの自由端側を接合させる。これにより、図８に示すように、センサ部１１による測定対象体９のクランプが完了する。続いて、操作部２２の各操作スイッチのうちのいずれかを操作することにより、電流計１を起動させる。この際には、センサ部１１から検出信号Ｓ１が出力され、これに応じて、Ａ／Ｄ変換部２３が電流データＤ２を生成して制御部２４に出力する。
【００３１】
次いで、制御部２４が電流データＤ２に基づいて電流値算出処理を実行して測定対象体９の電流値を算出して内部メモリに順次記憶すると共に、測定した電流値を表示するための表示用データＤ１を生成して表示部２１に出力する。この際には、上記したように、第１本体部２に対して第２本体部３が回動させられて展開状態となっていることで回動検出スイッチ３１から検出信号Ｓ３が出力された状態となっている。したがって、制御部２４は、図８に示すように、第１の表示態様から１８０度（本発明における「予め規定された第１の角度」の一例）だけ右回りまたは左回りに回転した状態で測定画面Ｐが表示されるように表示用データＤ１を生成して表示部２１に出力する。これにより、図５に示すように、「１０ｍＡ」との測定結果が表示された測定画面Ｐが第３の表示態様で表示部２１に表示される。
【００３２】
この際に、展開状態の電流計１における表示部２１の右側にセンサ部１１が位置するような状態で測定対象体９をクランプしているときには、操作部２２における回転スイッチ２２ｄを１回だけ操作する。この際には、操作部２２から出力された操作信号Ｓ２に応じて、制御部２４が、第３の表示態様で表示されている測定画面Ｐ（図５参照）を例えば右回りに９０度（本発明における「予め規定された第２の角度」の一例）だけ回転させて表示させるように新たな表示用データＤ１を生成して表示部２１に出力する。これにより、図６に示すように、「１０ｍＡ」との測定結果が表示された測定画面Ｐが第４の表示態様で表示部２１に表示される。
【００３３】
また、展開状態の電流計１における表示部２１の下方にセンサ部１１が位置するような状態で測定対象体９をクランプしているときには、操作部２２における回転スイッチ２２ｄを２回操作する。この際には、操作部２２から出力された操作信号Ｓ２に応じて、制御部２４が、第３の表示態様で表示されている測定画面Ｐ（図５参照）を例えば右回りまたは左回りに１８０度（本発明における「予め規定された第２の角度」の２回の操作分の一例）だけ回転させて表示させるように新たな表示用データＤ１を生成して表示部２１に出力する。これにより、図３に示すように、「１０ｍＡ」との測定結果が表示された測定画面Ｐが第１の表示態様で表示部２１に表示される。
【００３４】
さらに、展開状態の電流計１における表示部２１の左側にセンサ部１１が位置するような状態で測定対象体９をクランプしているときには、操作部２２における回転スイッチ２２ｄを３回操作する。この際には、操作部２２から出力された操作信号Ｓ２に応じて、制御部２４が、第３の表示態様で表示されている測定画面Ｐ（図５参照）を例えば右回りに２７０度または左回りに９０°（本発明における「予め規定された第２の角度」の３回の操作分の一例）だけ回転させて表示させるように新たな表示用データＤ１を生成して表示部２１に出力する。これにより、図４に示すように、「１０ｍＡ」との測定結果が表示された測定画面Ｐが第２の表示態様で表示部２１に表示される。
【００３５】
また、図７に示す矢印Ａ２の向きで第１本体部２に対して第２本体部３をヒンジ部４を中心として回動させることで展開状態の電流計１を折り畳み状態としたときには、第１本体部２と第２本体部とのなす角度θが９０度以下となったときに、回動検出スイッチ３１からの検出信号Ｓ３の出力が停止される。この際に、制御部２４は、例えば第３の表示態様で表示部２１に表示させている測定画面Ｐを右回りまたは左回りに１８０度回転させて第１の表示態様で測定画面Ｐを表示部２１に表示させる。
【００３６】
このように、このクランプ式電流計１によれば、画面回転指示信号（この例では、回動検出スイッチ３１からの検出信号Ｓ３、および操作部２２からの操作信号Ｓ２）が出力されたときに、制御部２４が予め規定された角度だけ測定画面Ｐを回転させて表示部２１に表示させることにより、導体導入部（センサ部）を表示部の上方に位置させるように測定対象体をクランプした状態における視認が容易となるように測定画面を固定的に表示させる構成の従来の電流計とは異なり、電流計１を横向きにしたり上下逆さまにしたりした状態においても測定画面Ｐを容易に視認させることができる。
【００３７】
また、このクランプ式電流計１によれば、第１本体部２に対する第２本体部３の回動に伴って回動検出スイッチ３１から検出信号Ｓ３が出力されたときに、制御部２４が予め規定された第１の角度（この例では、１８０度）だけ測定画面Ｐを回転させて表示部２１に表示させることにより、測定画面Ｐを回転させるためのスイッチ操作等を行うことなく、第１本体部２に対して第２本体部３を回動させるだけで折り畳み状態において視認が容易な測定画面Ｐ、および展開状態において視認が容易な測定画面Ｐを表示部２１に対して容易に表示させることができる。
【００３８】
さらに、このクランプ式電流計１によれば、回転スイッチ２２ｄの操作に伴って操作部２２から操作信号Ｓ２が出力されたときに、制御部２４が予め規定された第２の角度（この例では、９０度）だけ測定画面Ｐを回転させて表示部２１に表示させることにより、測定対象体９をクランプした際の電流計１の姿勢に応じて回転スイッチ２２ｄを操作することで、視認が容易となるように測定画面Ｐを任意に回転させて表示部２１に表示させることができる。
【００３９】
なお、本発明に係る測定装置の構成をクランプ式電流計１に適用した例について説明したが、検電器やマルチテスタ等の各種の電気的測定装置、温度計、音量測定装置、照度計（光量測定装置）および距離測定装置等の各種の測定装置において表示画面を任意に回転させる構成を採用することができる。これにより、上記のクランプ式電流計１と同様にして、測定結果を表す表示画面を容易に視認させることができる。
【００４０】
さらに、回動検出スイッチ３１として機械式スイッチを採用した例について説明したが、本発明における回動検出部の構成はこれに限定されず、例えば、マグネットセンサやフォトセンサ等を使用して第１本体部２に対する第２本体部３の回動を検出するように構成することもできる。また、測定画面Ｐを回転させるための専用の回転スイッチ２２ｄを備えた例について説明したが、本発明における回転操作スイッチ（操作部）の構成はこれに限定されず、任意のキーとの組み合わせ（例えば、ファンクションキーと所定の操作キーとの同時操作）で本発明における画面回転指示信号が出力される構成や、操作キーを複数回操作することで（例えば、メニュー画面を表示させて所望の画面表示態様を選択する操作によって）本発明における画面回転指示信号が出力される構成を採用することができる。
【００４１】
加えて、回転スイッチ２２ｄの操作時に測定画面Ｐを９０度ずつ回転させる構成について説明したが、回転操作スイッチの操作時に測定画面Ｐを回転させる角度は９０度に限定されるものではない。この場合、例えばテンキーやロータリスイッチ等によって測定画面Ｐを無段階で回転させる構成を採用することもできる。このような構成を採用することで、測定画面Ｐを一層容易に視認させることができる。
【図面の簡単な説明】
【００４２】
【図１】折り畳み状態におけるクランプ式電流計１の外観斜視図である。
【図２】クランプ式電流計１の構成を示すブロック図である。
【図３】初期設定状態における第１の表示態様で測定画面Ｐを表示させた状態の第２本体部３の正面図である。
【図４】第２の表示態様で測定画面Ｐを表示させた状態の第２本体部３の正面図である。
【図５】第３の表示態様で測定画面Ｐを表示させた状態の第２本体部３の正面図である。
【図６】第４の表示態様で測定画面Ｐを表示させた状態の第２本体部３の正面図である。
【図７】クランプ式電流計１の側面図である。
【図８】展開状態におけるクランプ式電流計１の外観斜視図である。
【符号の説明】
【００４３】
１  クランプ式電流計
２  第１本体部
２ａ，３ａ  筐体
３  第２本体部
４  ヒンジ部
９  測定対象体
１１  センサ部
２１  表示部
２２  操作部
２２ｄ  表示画面回転スイッチ
２４  制御部
３１  回動検出スイッチ
Ｄ１  表示用データ
Ｐ  測定画面
Ｓ２  操作信号
Ｓ３  検出信号
【図１】
0005409992.tif 000002
【図２】
0005409992.tif 000003
【図３】
0005409992.tif 000004
【図４】
0005409992.tif 000005
【図５】
0005409992.tif 000006
【図６】
0005409992.tif 000007
【図７】
0005409992.tif 000008
【図８】
0005409992.tif 000009